(57)【特許請求の範囲】
【請求項１】
２つの用紙搬送路の合流点近傍に反射型フォトセンサを設置し、前記反射型フォトセンサの他に、別の用紙検出センサを装着し、ＯＨＰとそれ以外の用紙の判別を行うＯＨＰ検出装置を備え、前記ＯＨＰ検知装置は２つの用紙搬送路を通るＯＨＰの検出を行う検知装置である用紙搬送装置において、前記フォトセンサと搬送路のなす角度を３０度から６０度の間としたことを特徴とする用紙搬送装置。
【請求項２】
２つの用紙搬送路の合流点近傍に反射型フォトセンサを設置し、前記センサの受光面と用紙搬送路とのなす角が、センサに近い搬送路の方が、遠い搬送路より垂直に近くなるように、センサを設置した用紙搬送装置において、前記反射型フォトセンサの発光光路を遮るようにゴムロールを配置したことを特徴とする用紙搬送装置。
【請求項３】
２つの用紙搬送路の合流点近傍に反射型フォトセンサを設置し、前記センサの受光面と用紙搬送路とのなす角が、センサに近い搬送路の方が、遠い搬送路より垂直に近くなるように、センサを設置した用紙搬送装置において、前記用紙搬送路にあるフィルムは、反射型フォトセンサの光路を遮らないような形状としたことを特徴とする用紙搬送装置。
【発明の詳細な説明】
【０００１】
【発明の属する技術分野】
本発明は、プリンタ、コピー機等の用紙搬送装置に関し、さらに詳しくは用紙搬送装置における用紙の種類判別する技術に関する。
【０００２】
【従来の技術】
プリンタ、コピー機等の用紙搬送装置では、印刷する用紙の種類を判別して印刷工程を制御する必要がある。従来、反射型フォトセンサを用いてＯＨＰを検出する装置がある。このような装置は、反射型フォトセンサの特性のため、用紙とセンサの距離、角度が一定値となるような搬送路にセンサを配置しなければならなかった。そのため、各用紙トレイごとにＯＨＰの検出装置を設置していた。
【０００３】
【発明が解決しようとする課題】
本発明は、上記従来の各用紙トレイごとにＯＨＰの検出装置を設置する技術に改善を加え、少数の検知装置で、用紙の種類を判別することができる技術を提供することを目的とするものである。
【０００４】
【課題を解決するための手段】
本発明は、上記問題点を解決するためになされたもので、その技術手段は、２つの用紙搬送路の合流点近傍に反射型フォトセンサを設置し、前記反射型フォトセンサの他に、別の用紙検出センサを装着し、ＯＨＰとそれ以外の用紙の判別を行うＯＨＰ検出装置を備え、前記ＯＨＰ検知装置は２つの用紙搬送路を通るＯＨＰの検出を行う検知装置である用紙搬送装置において、前記フォトセンサと搬送路のなす角度を３０度から６０度の間としたことを特徴とする用紙搬送装置である。本発明は、反射型フォトセンサの他に、別の用紙検出センサを装着し、ＯＨＰとそれ以外の用紙の判別を行うＯＨＰ検出装置を備えており、前記ＯＨＰ検知装置は２つの用紙搬送路を通るＯＨＰの検出を行う検知装置である。
【０００５】
本発明は、前記フォトセンサと搬送路のなす角度を３０度から６０度の間に設定したことを特徴としている。
【０００６】
また、前記反射型フォトセンサの発光光路を遮るようにゴムロールを配置することによって、このゴムロールに発光光路遮断機能を兼用させ、遮断部品を省略することができる。また、前記センサの受光面と用紙搬送路とのなす角が、センサに近い搬送路の方が、遠い搬送路より垂直に近くなるように、センサを設置することが好ましく、さらに、前記用紙搬送路にあるフィルムは、反射型フォトセンサの光路を遮らないような形状とすると、一層好ましい。
【０００７】
【発明の実施の形態】
以下図面を参照して本発明の実施の形態を説明する。図５はプリンタの用紙搬送経路を示す系統図である。用紙カセット５１から送出された用紙２０は搬送ロール５２、５３、５４、５５、５６を経て搬送され、ガイド５７、５８に案内されて進行する。一方手差しトレイ６１から供給された用紙３０は搬送ロール６２、６３、６４、６５、によって搬送され、搬送ロール１４、用紙ガイド１３、１５を経て搬送される。この用紙２０の搬送経路と用紙３０の搬送経路は搬送ロール１１、１２の所で合流する。搬送ロール１１、１２を出た用紙は転写ロール７１、７２でトナーを供給され、さらに定着ロール７３、７４で定着され、ロール７５、７６で搬送され、外部に排出される。搬送ロール７７、７８、７９、８０は、両面印刷用の用紙を逆送経路に戻すためのロールである。印刷を完了した用紙は搬送ロール７７、７８、７９、８０によって装置外に排出される。
【０００８】
図１は本発明の実施例の側面図で、図５のＡ部の拡大図である。実施例では、用紙カセット５１から来る用紙２０と手差しカセット６１から来る用紙３０の２つの用紙搬送路の合流点すなわち、搬送ロール１１、１２の近傍に、反射型フォトセンサ１０を設置した。この反射型フォトセンサ１０の受光面２５と用紙搬送路２７、２８とのなす角は、図２に示すように、センサに近い搬送路を搬送されてくる用紙２０の方が、フォトセンサ１０より遠い搬送路を搬送されてくる用紙３０よりより垂直に近くなるようにする。この場合、フォトセンサ１０の受光面２６と搬送路２７、２８とのなす角度を３０度から６０度の間とした。この角度が３０度未満又は６０度を超えると、検出精度を確保することが困難となるので、この範囲とするのがよい。
【０００９】
また、反射型フォトセンサ１０の発光光路を遮る位置に位置するロール１２をゴムロールとした。ゴムロールは、好適にフォトセンサの発光を遮断する性能をもっている。ロール１２をこのような配置及び材質とすることによって、フォトセンサ１０の光路を遮断する別途の遮断装置を省略し、合理的配置とすることができる。
【００１０】
なお、図５に示したように、反射型フォトセンサ１０の他に、別の用紙検出センサ１００をフォトセンサの近くに装着し、ＯＨＰとそれ以外の用紙の判別を行うようにした。このＯＨＰ検出装置は２つの用紙２０及び３０の搬送路を通るＯＨＰの検出を行う検知装置である。この別の用紙検出センサ１００を設置することによって用紙の種類を容易に判別することができる。すなわち、反射型フォトセンサ１０と用紙検知センサ１００が、それぞれＯＮの時は、用紙の種類が普通紙であることを認識し、前者がＯＦＦで、後者がＯＮの時は用紙の種類はＯＨＰであると判定され、両者がＯＦＦの時は用紙がないと判断する。
【００１１】
また、実施例では、手差しカセットと用紙カセットからくる用紙をロール１１、１２へとガイドするフィルム２００を搬送路に設置し、フォトセンサと用紙のなす角度を３０〜６０℃に規制するようにした。図３は図１のＡ−Ａ矢視図でフィルム２００の取付を示す正面図である。図４はフィルム２００の（ａ）正面図、（ｂ）側面図である。図３、図４に示すように、前記フィルム２００は、ガイド５７に取付けられ用紙２０及び３０を搬送ロール１１、１２のニップ部に案内すると共に、反射型フォトセンサ１０の光路及び用紙検知センサ１００の光路を遮らないように切欠を設けた形状とした。
【００１２】
【発明の効果】
従来、プリンタで反射型フォトセンサを用いて用紙の検知を行う場合、用紙とセンサの角度が重要となるため、通常、用紙とセンサの距離、角度が一定となるようにセンサ、用紙搬送路を設置していた。本発明によれば、反射型フォトセンサの特性を生かした設計をすることにより、センサの検知する角度と距離の範囲を広くすることが可能となった。また、従来は、通常、手差し経路と各用紙カセットのそれぞれにＯＨＰ判別装置を設置していたが、本発明によれば、１つのセンサで２つの搬送路のＯＨＰを検知できるようになった。従って、センサの配置数を減らし合理化することができる。また、本発明では、フォトセンサの配置位置、方向を工夫し、通常使用するゴムパッド等の遮光装置を省略し、レジストレーションロールをゴムロールとすることによって、有効に遮光することができ、コストダウンを図ることができた。
【図面の簡単な説明】
【図１】実施例の側面図である。
【図２】フォトセンサの配置を説明する説明図である。
【図３】図１のＡ−Ａ矢視図である。
【図４】フィルムの（ａ）正面図、（ｂ）側面図である。
【図５】実施例の用紙搬送経路の経路図である。
【符号の説明】
１０    反射型フォトセンサ
１１、１２    搬送ロール
１３、１５    用紙ガイド
１４    搬送ロール
２０    用紙
２６    受光面
２７、２８    搬送路
３０    用紙
５１    用紙カセット
５２、５３、５４、５５、５６    搬送ロール
５７、５８    ガイド
６１    手差しトレイ
６２、６３、６４、６５    搬送ロール
７１、７２    転写ロール
７３、７４    定着ロール
７５、７６    ロール
７７、７８、７９、８０    搬送ロール
１００    用紙検出センサ
２００    フィルム
【図１】
0003951636.tif 000002
【図２】
0003951636.tif 000003
【図３】
0003951636.tif 000004
【図４】
0003951636.tif 000005
【図５】
0003951636.tif 000006